(57)【要約】【課題】  紫外線による殺菌はその紫外線の強さに依存するため、紫外線は常にある程度以上の強度を保つ必要がある。しかしながら、紫外線ランプは時間とともにその紫外線強度が低下する。ある程度以下になれば、交換しなければ所定の殺菌効果が得られない。この交換時期が見た目では分からない。【解決手段】  紫外線ランプからの紫外線を受ける場所に貼って使用するものであって、透明基材フィルムに、紫外線吸収剤を含有する透明塗料による指示表示印刷層と、紫外線によって褪色する塗料による印刷層を積層したもの。【選択図】  図１
2011143605.tif 000002
【特許請求の範囲】
【請求項１】
紫外線ランプからの紫外線を受ける場所に貼って使用するものであって、透明基材フィルムに、紫外線吸収剤を含有する透明塗料による指示表示印刷層と、紫外線によって褪色する塗料による印刷層を積層したことを特徴とする時間経過表示フィルム。
【請求項２】
該紫外線ランプからの紫外線を受ける場所は、紫外線照射ランプ表面であり、積層の順序は、該基材フィルム、該紫外線吸収剤を含有する透明塗料による指示表示印刷層、その上に該紫外線によって褪色する塗料による印刷層の順である請求項１記載の時間経過表示フィルム。
【請求項３】
該紫外線ランプからの紫外線を受ける場所は、紫外線照射ランプの表面から離れた部分であり、積層の順序は、該基材フィルム、該紫外線によって褪色する塗料による印刷層、その上に該紫外線吸収剤を含有する透明塗料による指示表示印刷層の順である請求項１記載の時間経過表示フィルム。
【請求項４】
該紫外線によって褪色する塗料による印刷層は、色の異なる２種以上を用い、完全に積層せず一部重ねて印刷したものである請求項１乃至３のいずれかに記載の時間経過表示フィルム。
【発明の詳細な説明】
【技術分野】
【０００１】
本発明は、時間経過表示フィルムに関するものである。
【背景技術】
【０００２】
殺菌灯は食品工場や種々の場所において室内や製品表面を殺菌するために使用されている。食品工場においては、天井等に設けて、室内の空気の対流を利用して殺菌灯付近に流れてきた空気を殺菌するものが多い。
【０００３】
この殺菌灯で最も多いものは紫外線を用いるものである。即ち、紫外線を照射し、それによって菌やウイルスを殺すものである。他の殺菌方法に比べて、簡単で後処理も不要であるためほとんどこの方式である。
殺菌はその紫外線の強さに依存するため、紫外線は常にある程度以上の強度を保つ必要がある。しかしながら、紫外線ランプは時間とともにその紫外線強度が低下する。ある程度以下になれば、交換しなければ所定の殺菌効果が得られない。
【０００４】
また、この交換時期が見た目では分からない。なぜならば、紫外線ランプが発する可視光はほとんど変わらないためである。
【０００５】
このため、紫外線ランプを交換した時期を記録しておき、一定時間経過するとチェックして交換していた。紫外線ランプの数が多くなると、例えば、数百本以上になると非常に手間である。
【０００６】
また、紫外線によって褪色する塗料を用いる時間経過表示シールも考えられる。例えば、紫外線によって褪色しない塗料で一定の表示を印刷し、その上に紫外線によって褪色する塗料を塗布しておく。紫外線によって褪色する塗料が褪色すると、褪色しない塗料が見えてくるというものである。しかし、紫外線ランプに貼る場合、透過光を人が見るため、当所その特定表示を完全に見えなくすることができない。即ち、最初から特定表示が見えているのである。これでは、一定時間経過後に知らせるという目的が達成できない。
【発明の概要】
【発明が解決しようとする課題】
【０００７】
そこで簡単に使用期間がわかり、交換時期を認識できる時間経過表示フィルムを提供する。
【課題を解決するための手段】
【０００８】
以上のような状況に鑑み、本発明者は鋭意研究の結果本発明時間経過表示フィルムを完成したものであり、その特徴とするところは、紫外線ランプからの紫外線を受ける場所に貼って使用するものであって、透明基材フィルムに、紫外線吸収剤を含有する透明塗料による指示表示印刷層と、紫外線によって褪色する塗料による印刷層を積層した点にある。
【０００９】
紫外線照射ランプとは、前記した殺菌灯、ブラックライト、誘虫灯、照明用蛍光灯、ＬＥＤ、オゾンランプ等紫外線を照射するものであればどのようなものでもよい。特に、その強度の減衰が問題となるものである。
【００１０】
紫外線ランプからの紫外線を受ける場所とは、紫外線ランプの周囲全般を指すことは当然であるが、本発明においては、２種類に分けられる。即ち、本発明フィルムの色を観察者が見る側と、紫外線が照射される側が同じか、反対かによる違いである。例えば、紫外線ランプの近傍壁面ならば、その壁面に本発明フィルムを貼った場合、そのフィルムの表面を観察者が見、紫外線も表面側から照射される、即ち同じ側である。
同じ側としては、紫外線ランプ近傍の壁面だけでなく、紫外線ランプの表面以外はすべてである。例えば、紫外線ランプを使用している機械そのものの表面、天井その他の面である。
【００１１】
これと異なり、紫外線ランプの表面に本発明フィルムを貼った場合、観察者が見るのはフィルムの表面側であるが、紫外線はフィルムの裏面側（ランプ側）から照射される。即ち、反対側である。
この２つの場所の違いによって、本発明の構成が異なる。以下順次説明する。
【００１２】
透明基材フィルムは、どのようなものでもよいが紫外線に強いものが好適である。フッ素系フィルム、シリコン系フィルム、アクリル系フィルム、ポリエステル系フィルム等である。
厚みは、限定しないが１０〜２００μｍ程度が好適である。大きさや形状も自由であるが、２ｃｍ角〜５ｃｍ角（矩形すれば）程度のシールが便利である。しかし、後述保護フィルムの場合には大きいものとなる。
【００１３】
紫外線吸収剤は、通常プラスチックフィルムに混合されるものでよい。パラジメチルアミノ安息香酸オクチルなどの安息香酸系、オキシベンゼンなどのベンゾフェノン誘導体、サリチル酸誘導体など通常のものでよい。しかし、着色するようなものは好ましくない。
【００１４】
紫外線吸収剤を含有する透明塗料とは、透明フィルムに塗布したときにほとんど目立たないようなものである。紫外線含有量は、通常紫外線による劣化を防止するためプラスチックフィルムに混合する程度でもよいが、それよりも多い方がよい。
【００１５】
ここでいう印刷は、塗料を固着することすべてをさす概念として使用する。単に塗布することや、噴霧して固着すること等も含む概念として使用する。
【００１６】
ここでいう指示表示とは、文字、記号、マーク等のものであり、それが浮かび上がることによって何らかの警告や表示の役目をはたすものである。例えば、文字では、「交換時期」、「寿命」、「期限」等の語であり、記号としては、「×」、「○」等である。
このような表示を印刷する場合と、その表示の形状以外の部分を印刷して、表示形を残すということも考えられる。これも本発明では、指示表示の印刷と考える。
【００１７】
紫外線によって褪色する塗料とは、通常はほとんどの塗料は褪色するため問題はないが、無機顔料を用いたものでほとんど褪色のしないものもある。このようなものではないという意味である。
【００１８】
この紫外線吸収剤を含有する透明塗料と、紫外線によって褪色する塗料の積層順序が上記した使用場所の違いによって異なるのであるが、原理としては同じである。即ち、紫外線が照射される側に透明塗料が存在するということである。透明塗料の紫外線吸収剤によって、褪色する塗料の褪色を防止するのであるため、透明塗料より先に褪色する塗料が紫外線に晒されれば意味はない。
【００１９】
例えば、紫外線ランプに貼るものでは、透明塗料が下方に存在することになる。紫外線は下方から来るため、透明塗料の存在する部分では、紫外線は透明塗料に含まれる紫外線吸収剤によって吸収され、その上の褪色する塗料への紫外線の影響は少ない。
よって、透明塗料の有無によって、上方の褪色する塗料の褪色程度に差が出るのである。これは、積層順序が逆のものでも、紫外線が来る方向に透明塗料があるのでまったく同様である。
【００２０】
即ち、一定時間経過すると、紫外線の影響によって、褪色する塗料は色が薄くなるが、透明塗料の上部では褪色がほとんど起こらず、その部分だけが残って目に見えるようになるのである。どの程度の期間で見えるようになるのかは、紫外線吸収剤の量、褪色する塗料（その中の染料や顔料）の種類によって異なるため、調整ができる。
【００２１】
例えば、４ヶ月程度で見えて来るもの、６ヶ月程度、１年程度等自由に設計できるものである。
【００２２】
また、透明塗料に上方に塗布する褪色塗料は１種に限らず、複数種でもよい。特に、褪色の速度が異なり色も異なるものをそれぞれずらして、１層部分を設けるように塗布したものが好適である。
例えば、３色をずらして積層すると、それぞれの色の１層部分（３ヶ所）、２層積層部分（３ヶ所）及び３層積層部分ができる。そして、指示表示の部分は３層積層部分とする。
【００２３】
このようにすると、色の異なる１層（又は積層）部分が順に褪色していくことになる。例えば、黄色が２ヶ月でほぼ完全に褪色し、４ヶ月で赤が褪色、６ヶ月で青が褪色するものを用いるとする。３色ともに見えていると、使用開始から２ヶ月未満であることが分かる。また、２色がほぼ消え、青だけが残っていると、４ヶ月から６ヶ月の間であるということがわかる。
【００２４】
これは、３色積層した下の透明塗料の指示表示は青が薄くなってきて見え始めるのであるが、ある程度は見えてくる可能性がある。そのときにも、周囲の色の程度でより正確に期間が判定できる。
【００２５】
本発明の時間経過表示フィルムは、紫外線照射ランプに貼って使用するものである。よって、裏面に粘着剤（接着剤も）を塗布しておいてもよい。この場合、紫外線によって使用期間では粘着性がなくならないものが必要である。即ち、劣化によって剥離、落下しては意味がないためである。
【００２６】
また、裏面には粘着剤を塗布しないか、仮止め程度で少し塗布するようにしてもよい。この場合には、紫外線照射ランプを保護するために、その周囲に巻く（カバーする）フィルムによって、本発明フィルムをカバー保持するのがよい。即ち、その透明カバーフィルムの内側に入れておくだけでよい。
【００２７】
また、本発明フィルム自体が、紫外線ランプに巻き付けてランプを保護するカバーフィルムであってもよい。即ち、飛散防止カバーフィルムの一部に印刷して本発明のフィルムにすればよい。
【発明の効果】
【００２８】
本発明には、次のような効果がある。
（１）  指示表示（警告や識別表示等）が透明塗料で印刷されているため、最初はまったく見えない。よって、見えてきたときに分かりやすい。
（２）  紫外線照射ランプに貼って使用するものであるため、紫外線照射ランプの使用時間、それも紫外線照射時間が分かる。そのため、紫外線強度が不足することや、無駄なランプ交換が避けられる。
（３）  非常に安価である。
【図面の簡単な説明】
【００２９】
【図１】本発明時間経過表示フィルムを製造方法の工程の１例を示す平面図である。
【図２】一定時間経過後の本発明時間経過表示フィルムを示す平面図である。
【発明を実施するための最良の形態】
【００３０】
以下実施の形態に基づいて、本発明をより詳細に説明する。
図１は本発明時間経過表示フィルムを製造方法の工程の１例を示す平面図である。これは、紫外線ランプに貼って使用するものの例である。図１（ａ）は、透明フィルム１に、紫外線吸収剤を含有した透明塗料で「交換」の文字を印刷したところである。この図では破線で示したが、実際にはほとんど見えないものである。
【００３１】
図１（ｂ）は、（ａ）の上から黄色で長方形２に印刷したところである。（ｃ）は、更に赤で長方形３に印刷したところである。この時、黄色とずらして印刷する。よって、重なっている部分と、黄色単独、赤単独の部分ができる。
【００３２】
図１（ｄ）は、更に青の塗料で長方形４に印刷したところである。この場合も前２色とはずらして印刷する。最終的には、各１色の部分（３ヶ所）、２色が重なった部分（３ヶ所）、３色重なった部分（１ヶ所）と、合計７ヶ所の異なった印刷面ができる。
【００３３】
この７所が時間経過に従って、順次変色又は褪色していく。その変色と時間の関係が分かっていれば、ほぼ経過時間が判定できる。
【００３４】
しかし、そのような経過時間の判定は実際にはほとんど不要である。紫外線ランプの交換時期がわかればよいのであるため、中間の経過時間は現実的には不要である。
【００３５】
図２は、印刷した色が褪色し、図１（ｄ）の３色積層５の色が残っている状態である。最初に透明印刷した部分以外が褪色し、「交換」の文字部が褪色しない（褪色が少ない）ため浮かび上がってくるのである。このため、紫外線ランプの交換時期がわかりやすくなる。
【符号の説明】
【００３６】
１  透明フィルム
２  黄色単独の部分
３  赤単独の部分
４  青単独の部分
５  ３色積層部分
【図１】
2011143605.tif 000003
【図２】
2011143605.tif 000004